(57)【要約】      （修正有）【課題】蛍光灯型の照明装置例えばポリカーボネイト其の他のプラスチック材で形成される直管型のＬＥＤ照明装置において、内蔵されているＬＥＤが配置される基板の一方側以外の側にもＬＥＤを配置し、ＬＥＤ照明装置が設備される灯具の反射板を有効に活用できるようにしたＬＥＤ照明装置を提供する。【解決手段】電気的絶縁性を有する基板６の一方側に複数個の第１のＬＥＤ群２を配置し、前記基板６の一方側以外の側に必要に応じて定めた複数の第２のＬＥＤ群７を配置し、前記基板６を長尺な照明管１内に配置し、当該照明管１の両端を口金で封止し、外部電源から口金を介して前記第１及び第２のＬＥＤ群２，７が点灯できるように回路形成してＬＥＤ照明を構成してなり、前記基板６の一方側以外の側にもＬＥＤ群を配したことを特徴とするＬＥＤ照明装置。【選択図】図１
2011070992.tif 000002
【特許請求の範囲】
【請求項１】
電気的絶縁性を有する基板の一方側に複数個の第１のＬＥＤ群を配置し、前記基板の一方側以外の側に必要に応じて定めた複数の第２のＬＥＤ群を配置し、前記基板を長尺な照明管内に配置し、当該管の両端を口金で封止し、外部電源から口金を介して前記第１及び第２のＬＥＤ群が点灯できるように回路形成してＬＥＤ照明を構成してなり、前記基板の一方側以外の側にもＬＥＤ群を配したことを特徴とするＬＥＤ照明装置。
【発明の詳細な説明】
【技術分野】
【０００１】
本発明は、例えばポリカーボネイトその他のプラスチック材で形成される直管型のＬＥＤ照明装置に係わり、当該ＬＥＤ照明装置に内蔵されているＬＥＤが配置される基板の一方側以外の側にもＬＥＤを配置し、ＬＥＤ照明装置が設備される灯具の反射板を有効に活用できるようにＬＥＤ照明を改良したＬＥＤ照明装置に関する。
【背景技術】
【０００２】
従来の蛍光灯を模した直管型のＬＥＤ照明灯は、ポリカーボネイト等の素材を管状に形成して、この内部に電気的に接続される回路に繋げたＬＥＤを長尺な基板の一面に多数配して、このＬＥＤを点灯して蛍光灯に代る照明器具としている。そしてその省エネ故に普及が急がれている。この場合、内部の基板の一方向面に回路及びＬＥＤを配置する構造を採用している。この為、一面のＬＥＤの光りが基板により邪魔され反対側に通らず灯具の反射板を有効に利用できない構造になっている。
【０００３】
つまり、従来の天井などに吊り下げられる直管型の蛍光灯の灯具には蛍光灯の光りを天井周囲に拡散し、それによって周囲が明るくなるように工夫された反射板が配置され、之によって廣い面積の明るくなる広さを確保している。
【０００４】
従来のＬＥＤ照明灯を天井の蛍光灯を外して之のコネクターに差し込んで取り付けた場合、ＬＥＤ照明灯内には軸方向に基板が配置され、これの一面にＬＥＤが設置されているので下向きにはＬＥＤ光が照射されるが上向きには基板でＬＥＤ光が邪魔され、ＬＥＤ光が上方に照射されず、従って、反射板を有効に利用して照明装置の全体の光りの広がりを得ることができない。
【０００５】
その為に天井が全体的に暗い状態であるのが現状である。之を解消する為に回路を工夫してＬＥＤの数を増やして照度を上げることも考えられるが、熱が生じてＬＥＤの寿命を短くする問題が生じ単純にＬＥＤの個数を大幅に増やせないのが現状である。
従ってＬＥＤの数を増やさずに反射板を有効に利用でき、又例えＬＥＤの個数を増やすにしても適正な数で全体的に明るくなるようにできるＬＥＤ照明装置が望まれている。
【０００６】
従前の、蛍光灯の照明具の反射板をＬＥＤ照明に際して有効に利用するＬＥＤの長尺な直管型の照明装置は無く、特許文献１はＬＥＤを搭載した基板を配する為に重くなり、管が途中で撓まないように管内に支持ピン、支持材などを工夫して配置することで長い管がたるまないように配慮している技術が存在するだけである。
【特許文献１】特開２００２−１４１５５５号公報
【発明の開示】
【発明が解決しようとする課題】
【０００７】
本発明が解決しようとする問題点は、従来の蛍光灯型の照明装置に例えばポリカーボネイト其の他のプラスチック材で形成される直管型のＬＥＤ照明装置の場合、当該ＬＥＤ照明装置に内蔵されているＬＥＤが配置される基板の一方側以外の側にもＬＥＤを配置し、これによってＬＥＤ照明装置が設備される灯具の反射板を有効に活用できるようにしたＬＥＤ照明装置を提供することである。
【課題を解決するための手段】
【０００８】
本発明は課題解決の手段として、電気的絶縁性を有する基板の一方側に複数個の第１のＬＥＤ群を配置し、前記基板の一方側以外の側に必要に応じて定めた複数の第２のＬＥＤ群を配置し、前記基板を長尺な管内に配置し、当該管の両端を口金で封止し、外部電源から口金を介して前記第１及び第２のＬＥＤ群が点灯できるように回路形成してＬＥＤ照明を構成してなり、前記基板の一方側以外の側にもＬＥＤ群を配したことを特徴とするＬＥＤ照明装置である。
【発明の効果】
【０００９】
請求項１記載の発明によれば、ＬＥＤが配置される側の反対側にまでＬＥＤを配置し、之を点灯するので、反射板に対して他方の側のＬＥＤ光が照射され、従って、天井側が明るくなるので全体的に明るい範囲を廣くでき、しかもＬＥＤの数を余り増やすこともないので熱によるＬＥＤの寿命も阻害される事がない等の効果があるものである。  
【発明を実施するための最良の形態】
【００１０】
本発明は、従来のＬＥＤを配備する基板の一方側以外の側にまでＬＥＤを配置することによって反射板を利用でき、従って、天井が廣い範囲で明るくできるものである。
【００１１】
以下に、本発明の実施例に係るＬＥＤ照明装置を図１、図２、図３，図４，図５を参照して詳細に説明する。
【００１２】
本実施例に係る照明管１は例えばポリカーボネイト製で長さは１２００ミリ程度、外径は２９ミリ〜３０ミリ程度、肉厚は薄い薄肉部Ｋの付近で０．９ミリ程度で、肉厚が厚い肉厚部Ｓの付近で１，８ミリ程度に選定する。次ぎに照明管１の中央部分には直径線上に対向する側を開いた断面コ字型の桟４、５を形成する。桟４、５には図３、図４の基板６が第１のＬＥＤ群２を下側にして矢印Ｈ方向から挿入固定される。尚図２は図１の第１のＬＥＤ群２を上側にして表したもので、図３は第１のＬＥＤ群２を上側に表し、図４は第２のＬＥＤ群７を上側にして表したもので基板６に対して第１のＬＥＤ群２と第２のＬＥＤ群とは丁度反対側にそれぞれ位置している。
【００１３】
前記第１のＬＥＤ群２を構成するＬＥＤの数と前記第２のＬＥＤ群７を構成するＬＥＤの数は第１のＬＥＤ群２の数の方が多く、この第１のＬＥＤ群２が主に実質的照明になる。図５は第１のＬＥＤ群２と第２のＬＥＤ群７の模式的な回路で、基板６の３組のＬＥＤ組から構成される第１のＬＥＤ群２の各組から３個のＬＥＤ（合計３個×３組＝９個）９個を取り上げ、之を第２のＬＥＤ群７として回路構成する（従って、第２のＬＥＤ群のＬＥＤの数は９個となる）。
【００１４】
この場合、第１のＬＥＤ群２の１組のＬＥＤは４０個から構成され、従って第１のＬＥＤ群２は各組合計で１２０個のＬＥＤ数になるが、各組から３個づつＬＥＤを第２のＬＥＤ群７に割り当てるので第２のＬＥＤ群は９個のＬＥＤで構成される。即ち、天井の反射板８は基板６の第２のＬＥＤ群７のＬＥＤによって照射される構成になる。
これによって、新たなＬＥＤの追加をしなくとも反射板８を利用した広がりのある照明が得られる。尚第５図の第１のＬＥＤ群２のＬＥＤ１〜ＬＥＤ３９はＬＥＤの数を、第２のＬＥＤ群７のＬＥＤ１〜ＬＥＤ９はＬＥＤの数をそれぞれ表している。
【００１５】
このように構成したＬＥＤの照明管１は図示しないが、両端に口金で封止し、同時にこの口金を介して第１のＬＥＤ群２及び第２のＬＥＤ群７を外部の電源と接続し、給電され、発光される。
【００１６】
第１図において前記基板６の下側の第１のＬＥＤ群２のＬＥＤが通電された場合の発光は矢印Ｙ方向、即ち天井の下の方に向かって発光し照明管１の肉薄部Ｋを通過して照明される。前記基板６の上側の第２のＬＥＤ群７のＬＥＤ光は矢印Ｘ方向に発光し、照明管１の上方肉厚部Ｓを通過して天井の反射板８に照射され、次いで反射板８で反射され矢印Ｑ方向に照射される。その為に天井の灯具の周囲が明るくなり、従来のように灯具の周囲が暗く全体として暗いイメージはなくなるものである。
【００１７】
このように、天井から下方への照明に支障が無い程度のＬＥＤの個数を選択し、基板の反対側に置き換えることによって照明全体として明るくできるものである。勿論、基板６の第２のＬＥＤ群７に追加的に新たなＬＥＤを設けてもよいものである。尚、桟４，５に基板６を固定する場合は接着剤を用いてもよいものである。
【産業上の利用可能性】
【００１８】
本発明のＬＥＤ照明装置は本来の照明のＬＥＤを一部反射板への反射に割り当てることにより、実質的に電力を増加せずに反射板の反射効果を照明の広がりにすることができるもので産業上有用で、効果的に市場に提供できるものである。
【図面の簡単な説明】
【００１９】
【図１】本発明の実施例を説明するためのＬＥＤ照明本体の縦断面図である。
【図２】本発明の実施例を説明する為の図１の概略組み立て図である。
【図３】本発明の実施例を説明する為の第１のＬＥＤ群を表面にした基板の斜視図である。
【図４】本発明の実施例を説明する為の第２のＬＥＤ群を表面にした基板の斜視図である。
【図５】本発明の実施例を説明する為の第１のＬＥＤ群及び第２のＬＥＤ群を回路的に表した図である。
【符号の説明】
【００２０】
１  照明管
２  第１のＬＥＤ群
４，５  桟
６  基板
７  第２のＬＥＤ群
８  反射板
Ｋ  肉薄部
Ｓ  肉厚部
【図１】
2011070992.tif 000003
【図２】
2011070992.tif 000004
【図３】
2011070992.tif 000005
【図４】
2011070992.tif 000006
【図５】
2011070992.tif 000007